(57)【要約】【課題】受信場所において受信可能なサービスをプリセットリストに登録することを目的とする。【解決手段】あらかじめ格納した受信地域サービスリストから適切なサービスリストを選択する受信地域サービスリスト選択手段と、前記手段で選択されたサービスリストとチャンネルスキャン手段によって作成されたサービスリストとを統合して新たな一つのサービスリストを作成するサービスリスト統合手段を備える。【選択図】図１
2010273082.tif 000002
【特許請求の範囲】
【請求項１】
放送波を受信し、映像、音声またはデータを再生する放送受信装置であって、
受信帯域範囲内の全てのチャンネルについて受信可能なサービスの有無を検出し、受信可能なサービスリストを作成するチャンネルスキャン手段と、
受信地域と、当該受信地域に関連づけられた少なくとも１つのサービスリストを格納する受信地域サービスリスト格納手段と、
前記チャンネルスキャン手段によって作成されたサービスリストと前記サービスリスト格納手段に格納された受信地域サービスリストとを順次比較し、前記受信地域サービスリストのうち、前記チャンネルスキャン手段によって作成されたサービスリストと相関のあるサービスリストを選択する受信地域サービスリスト選択手段と、
前記チャンネルスキャン手段によって作成されたサービスリストと前記受信地域サービスリスト選択手段によって選択された受信地域サービスリストとを統合し、新たな一つのサービスリストを作成するサービスリスト統合手段とを備えることを特徴とする放送受信機。
【請求項２】
前記受信地域サービスリスト選択手段は、前記チャンネルスキャン手段によって作成されたサービスリストと前記サービスリスト格納手段に格納された受信地域サービスリストの物理チャンネルおよびサービスＩＤを順次比較した結果、物理チャンネルおよびサービスＩＤが一致するサービスが最も多い受信地域サービスリストを選択することを特徴とする請求項１に記載の放送受信装置。
【請求項３】
前記受信地域サービスリスト選択手段は、前記チャンネルスキャン手段によって作成されたサービスリストと前記サービスリスト格納手段に格納された受信地域サービスリストの物理チャンネルおよびサービスＩＤを順次比較した結果、物理チャンネルおよびサービスＩ４が一致するサービスのうち県域局が最も多い受信地域サービスリストを選択することを特徴とする請求項１に記載の放送受信装置。
【請求項４】
前記受信地域サービスリスト選択手段は、前記チャンネルスキャン手段によって作成されたサービスリストと前記サービスリスト格納手段に格納された受信地域サービスリストの物理チャンネルおよびサービスＩＤを順次比較した結果、物理チャンネルおよびサービスＩＤが一致するサービスが含まれる受信地域サービスリストを選択することを特徴とする請求項１に記載の放送受信装置。
【請求項５】
前記受信地域サービスリスト選択手段は、前記チャンネルスキャン手段によって作成されたサービスリストと前記サービスリスト格納手段に格納された受信地域サービスリストの物理チャンネルおよびサービスＩＤを順次比較した結果、物理チャンネルおよびサービスＩＤが一致する県域局のサービスが含まれる受信地域サービスリストを選択することを特徴とする請求項１に記載の放送受信装置。
【請求項６】
前記受信地域サービスリスト選択手段は、前記チャンネルスキャン手段によって作成されたサービスリストと前記サービスリスト格納手段に格納された受信地域サービスリストの物理チャンネルおよびサービスＩＤを順次比較した結果、物理チャンネルおよびサービスＩＤが一致するサービスが含まれる受信地域サービスリストの中から利用者が任意の受信地域サービスリストを選択することを特徴とする請求項１に記載の放送受信装置。
【請求項７】
前記サービスリスト統合手段によって統合されたサービスリストをプリセットリストとして保存するメモリ手段をさらに備えることを特徴とする請求項１に記載の放送受信装置。
【請求項８】
前記サービスリスト統合手段は、前記チャンネルスキャン手段によって作成されたサービスリストと前記サービスリスト格納手段に格納された受信地域サービスリストとの間で、同一のサービスが同一の物理チャンネルで検出されている場合は、統合されたサービスリスト上では一つのサービスに統合することを特徴とする請求項１に記載の放送受信装置。
【請求項９】
前記サービスリスト統合手段は、前記チャンネルスキャン手段によって作成されたサービスリスト上で、物理チャンネルの異なる同一のサービスが複数存在する場合は、物理チャンネルの小さい値のサービスを優先登録することを特徴とする放送受信装置。
【請求項１０】
前記サービスリスト統合手段は、前記チャンネルスキャン手段によって作成されたサービスリストと前記サービスリスト格納手段に格納された受信地域サービスリストとの間で、同一のサービスで異なる物理チャンネルのサービスが存在する場合は、前記サービスリスト格納手段に格納された受信地域サービスリストと同一の物理チャンネルの同サービスが前記チャンネルスキャン手段によって作成されたサービスリスト上にも存在すれば、このサービスを優先登録し、存在しない場合は前記チャンネルスキャン手段によって作成されたサービスリスト上の異なる物理チャンネルのサービスを優先登録することを特徴とする放送受信装置。
【発明の詳細な説明】
【技術分野】
【０００１】
本発明は、テレビ放送、またはラジオ放送を受信する携帯型の放送受信装置に関するものである。
【背景技術】
【０００２】
テレビ放送がデジタル化され、地上デジタルテレビ放送のスタートに伴い、携帯電話・移動体端末向けの1セグメント部分受信サービス（以下「ワンセグ放送」と呼ぶ）も始められ、携帯電話等への搭載が一気に進み、携帯機器でのテレビ視聴が一般的に浸透し始めている。
【０００３】
図７に、ワンセグ放送受信機に代表される携帯型の放送受信機の一般的な構成を示す。一般的な放送受信機は、電波を受信するアンテナ１１０と、受信した電波を復調して信号を取り出すチューナ１１１と、取り出した信号をビデオストリームとオーディオストリームに分けるデマルチプレクサ１１２と、ビデオストリームをビデオ信号に変換するするビデオデコーダ１１３と、オーディオストリームをオーディオ信号に変換するオーディオデコーダ１１４と、ビデオ信号を表示する表示器１１６と、オーディオ信号を増幅する増幅器１１５と、増幅されたオーディオ信号を音として放出するスピーカ１１７と、前記システム全体を制御するＣＰＵ１１８と、制御プログラムおよび各種データを保存するフラッシュメモリ１２０と、ＣＰＵが処理のために一時メモリとして使用するＲＡＭ１２１とユーザが本放送受信機を操作するための操作部１１９から構成される。
【０００４】
以上のように構成される携帯型の放送受信機において、サービスを受信して再生するためには、ユーザが物理チャンネルを順次選択して受信出来るサービスをその都度探すか、あるいは、その受信場所で受信可能なサービスをリストアップしてプリセットリストとして登録しておき、そのリストの中から所望のサービスを選択して受信するという方法があり、一般的にはその利便性から後者の方法が使われる。受信出来るサービスは受信する地域によって異なるため、携帯型の放送受信機ではプリセットリストとして複数のサービスリストをフラッシュメモリ１２０に格納できるのが一般的である。
【０００５】
プリセットリストの登録は、一般に次の二つの方法が用いられる。
【０００６】
第一の方法は、チャンネルスキャンを行って現在の受信場所で受信出来るサービスを検出してリスト化し登録する方法である。例えばワンセグ放送では、ＵＨＦ帯域の物理チャンネルの１３チャンネルから６２チャンネルまでのチャンネルがあるが、全てのチャンネルについて受信可能かを順次スキャンし、受信出来たサービスをリスト化してプリセットリストに登録する方法である。例えば特許文献１では、チャンネルスキャンを実行し、その結果得られたサービスリストを登録すべきエリアをユーザに選ばせて登録させる手段が開示されている。
【０００７】
第二の方法は、受信対象とする放送のサービスエリア内の主要な地域についてそれぞれデータテーブルを用意し、あるサービスが放送対象地域とするデータテーブルにそのサービスを登録してあらかじめリスト化しておき、ユーザが前記のいずれかの地域を選択することで、その地域を放送対象とするサービスをプリセットリストに登録する方法である。ワンセグ放送における地域毎のサービスの例を説明する。
【０００８】
隣接する地域として、Ｗ県、Ｘ県、Ｙ県という地域を仮定したとき、それぞれのサービスリストの例を図８に示す。この中で、Ｂ局、Ｃ局、Ｄ局、Ｅ局、Ｆ局の５サービスは特定の地方（例えば近畿地方など）を対象とする広域局であり、Ｗ県、Ｘ県、Ｙ県のそれぞれのサービスリストに共通に登録されている。一方、Ａ局、Ｇ局はＷ県、Ｈ局、Ｉ局はＸ県、Ｊ局、Ｋ局はＹ県を放送対象地域とする県域局であるため、それぞれの放送対象地域のサービスリストにしか登録しないのが普通である。このように、都道府県毎に受信地域毎のサービスリストは決めることが出来る。
【０００９】
ただし、一つの中継局で一つの都道府県全域をカバーするのは難しく、通常は複数の中継局で対象地域全域をカバーする。この場合、同じサービスであっても物理チャンネルが変わることがあるため、都道府県内をさらに細分化して複数エリアに分けてそれぞれ物理チャンネルの異なる中継局のサービスリストを持つことがある。しかし、中継局は数多くあり全てを網羅的にリスト化するのは困難なため、主要な中継局のカバー範囲、もしくは主要な地域のみでデータテーブルを構成するのが普通である。
【先行技術文献】
【特許文献】
【００１０】
【特許文献１】特開２００６−３２５０３２号公報
【発明の概要】
【発明が解決しようとする課題】
【００１１】
しかしながら前記の第一の方法では、チャンネルスキャンを実行したその時に受信出来たサービスしか登録できず、受信場所によって受信状態が変わりやすい携帯型の放送受信機ではたまたま受信出来ずにサービスが登録されずに終わってしまうことが発生する。
【００１２】
また、前記の第二の方法では、受信地点が地域の境目であった場合など、その受信地点で最適なリストをユーザが選択できるかどうか定かではなく、また、隣接する地域の放送波が届いているにも関わらずプリセットリストに登録されなといったことも発生してしまう。
【００１３】
本発明は、このような従来の問題点に鑑み、その受信場所において受信可能なサービスが極力プリセットリストに登録されるようにし、ユーザの受信機会逸失を極力避けるようにすることを目的とする。
【課題を解決するための手段】
【００１４】
本発明の請求項１に記載の発明は、放送波を受信し、映像、音声またはデータを再生する放送受信装置であって、受信帯域範囲内の全てのチャンネルについて受信可能なサービスの有無を検出し、受信可能なサービスリストを作成するチャンネルスキャン手段と、受信地域と、当該受信地域に関連づけられた少なくとも１つのサービスリストを格納する受信地域サービスリスト格納手段と、前記チャンネルスキャン手段によって作成されたサービスリストと前記サービスリスト格納手段に格納された受信地域サービスリストとを順次比較し、前記受信地域サービスリストのうち、前記チャンネルスキャン手段によって作成されたサービスリストと相関のあるサービスリストを選択する受信地域サービスリスト選択手段と、前記チャンネルスキャン手段によって作成されたサービスリストと前記受信地域サービスリスト選択手段によって選択された受信地域サービスリストとを統合し、新たな一つのサービスリストを作成するサービスリスト統合手段とを備えることを特徴とするものである。
【００１５】
これにより、チャンネルスキャン時にたまたま受信状態が悪く受信出来ずに登録されないような場合であっても、受信地域に関連づけられた既定のサービスリストから登録することができるとともに、既定のサービスリストに存在しないサービスであってもその受信場所で受信出来るサービスを一つのサービスリストとして登録することが出来る。
【００１６】
本発明の請求項２に記載の発明は、請求項１に記載の放送受信装置において、前記受信地域サービスリスト選択手段は、前記チャンネルスキャン手段によって作成されたサービスリストと前記サービスリスト格納手段に格納された受信地域サービスリストの物理チャンネルおよびサービスＩＤを順次比較した結果、物理チャンネルおよびサービスＩＤが一致するサービスが最も多い受信地域サービスリストを選択することを特徴とするものである。
【００１７】
これにより、最も適切と考えられる受信地域サービスリストを自動的に選択することができる。
【００１８】
本発明の請求項３に記載の発明は、請求項１に記載の放送受信装置において、前記受信地域サービスリスト選択手段は、前記チャンネルスキャン手段によって作成されたサービスリストと前記サービスリスト格納手段に格納された受信地域サービスリストの物理チャンネルおよびサービスＩＤを順次比較した結果、物理チャンネルおよびサービスＩ４が一致するサービスのうち県域局が最も多い受信地域サービスリストを選択することを特徴とするものである。
【００１９】
これにより、最も適切と考えられる受信地域サービスリストを自動的に、より確度高く選択することが出来る。
【００２０】
本発明の請求項４に記載の発明は、請求項１に記載の放送受信装置において、前記受信地域サービスリスト選択手段は、前記チャンネルスキャン手段によって作成されたサービスリストと前記サービスリスト格納手段に格納された受信地域サービスリストの物理チャンネルおよびサービスＩＤを順次比較した結果、物理チャンネルおよびサービスＩＤが一致するサービスが含まれる受信地域サービスリストを選択することを特徴とするものである。
【００２１】
これにより、受信出来る可能性のあるサービスをより多くサービスリストに登録することができる。
【００２２】
本発明の請求項５に記載の発明は、請求項１に記載の放送受信装置において、前記受信地域サービスリスト選択手段は、前記チャンネルスキャン手段によって作成されたサービスリストと前記サービスリスト格納手段に格納された受信地域サービスリストの物理チャンネルおよびサービスＩＤを順次比較した結果、物理チャンネルおよびサービスＩＤが一致する県域局のサービスが含まれる受信地域サービスリストを選択することを特徴とするものである。
【００２３】
これにより、受信出来る可能性のあるサービスをより多く、かつ確度高くサービスリストに登録することができる。
【００２４】
本発明の請求項６に記載の発明は、請求項１に記載の放送受信装置において、前記受信地域サービスリスト選択手段は、前記チャンネルスキャン手段によって作成されたサービスリストと前記サービスリスト格納手段に格納された受信地域サービスリストの物理チャンネルおよびサービスＩＤを順次比較した結果、物理チャンネルおよびサービスＩＤが一致するサービスが含まれる受信地域サービスリストの中から利用者が任意の受信地域サービスリストを選択することを特徴とするものである。
【００２５】
これにより、利用者は複数の受信地域サービスリストのうち絞り込まれたものの中から選べばよくなり、また利用者が適切なリストを選ぶため、より精度の高いサービスリストを登録することができる。
【００２６】
本発明の請求項７に記載の発明は、請求項１に記載の放送受信装置において、前記サービスリスト統合手段によって統合されたサービスリストをプリセットリストとして保存するメモリ手段をさらに備えることを特徴とするものである。
【００２７】
これにより、新たに作成されたサービスリストをプリセットリストとして保持することができ、次回使用時にサービスリストの設定をする必要がなくなる。
【００２８】
本発明の請求項８に記載の発明は、請求項１に記載の放送受信装置において、前記サービスリスト統合手段は、前記チャンネルスキャン手段によって作成されたサービスリストと前記サービスリスト格納手段に格納された受信地域サービスリストとの間で、同一のサービスが同一の物理チャンネルで検出されている場合は、統合されたサービスリスト上では一つのサービスに統合することを特徴とするものである。
【００２９】
これにより、全く同じサービスは重複させずに保持でき、無駄がなく分かりやすいサービスリストを作成することができる。
【００３０】
本発明の請求項９に記載の発明は、請求項１に記載の放送受信装置において、前記サービスリスト統合手段は、前記チャンネルスキャン手段によって作成されたサービスリスト上で、物理チャンネルの異なる同一のサービスが複数存在する場合は、物理チャンネルの小さい値のサービスを優先登録することを特徴とするものである。
【００３１】
これにより、同一サービスが異なる物理チャンネルで受信できたときには、受信可能性の高い順番に並ぶ、あるいは受信可能性のより高い物理チャンネルに集約されるため、わかりやすく使い勝手の良いサービスリストを作成することができる。
【００３２】
本発明の請求項１０に記載の発明は、請求項１に記載の放送受信装置において、前記サービスリスト統合手段は、前記チャンネルスキャン手段によって作成されたサービスリストと前記サービスリスト格納手段に格納された受信地域サービスリストとの間で、同一のサービスで異なる物理チャンネルのサービスが存在する場合は、前記サービスリスト格納手段に格納された受信地域サービスリストと同一の物理チャンネルの同サービスが前記チャンネルスキャン手段によって作成されたサービスリスト上にも存在すれば、このサービスを優先登録し、存在しない場合は前記チャンネルスキャン手段によって作成されたサービスリスト上の異なる物理チャンネルのサービスを優先登録することを特徴とするものである。
【００３３】
これにより、同一サービスが異なる物理チャンネルで受信できたときには、受信可能性の高い順番に並ぶ、あるいは受信可能性のより高い物理チャンネルに集約されるため、わかりやすく使い勝手の良いサービスリストを作成することができる。
【発明の効果】
【００３４】
本発明の放送受信機は、チャンネルスキャン時にたまたま受信状態が悪く受信出来ずに登録されないような場合でも受信地域に関連づけられた既定のサービスリストから登録され、また逆に隣接する地域の放送波が届いている場合であっても、その受信場所で受信出来たサービスがサービスリストに登録されるため、ユーザの受信機会逸失を極力避けることが出来るようになる。
【図面の簡単な説明】
【００３５】
【図１】本発明の実施の形態１にかかる放送受信装置の構成図
【図２】本発明の実施の形態１にかかる放送受信装置のプリセットリストへのサービスリストの登録動作を示すフローチャート
【図３】本発明の実施の形態１にかかる放送受信装置のサービスリストの一例図
【図４】本発明の実施の形態１にかかる放送受信装置のサービスリストの一例図
【図５】本発明の実施の形態１にかかる放送受信装置のサービスリストの一例図
【図６】本発明の実施の形態１にかかる放送受信装置のサービスリストの一例図
【図７】携帯型の放送受信機の一般的な構成図
【図８】サービスリストの一例図
【発明を実施するための形態】
【００３６】
以下、本発明の放送受信装置を実施するための最良の形態について、図１〜図４を用いて詳細に説明する。
【００３７】
（実施の形態１）
図１は本発明の実施の形態１における携帯型の放送受信機の構成を示すブロック図である。本放送受信機は、電波を受信するアンテナ１０と、受信した電波を復調して信号を取り出すチューナ１１と、取り出した信号をビデオストリームとオーディオストリームに分けるデマルチプレクサ１２と、ビデオストリームをビデオ信号に変換するするビデオデコーダ１３と、オーディオストリームをオーディオ信号に変換するオーディオデコーダ１４と、ビデオ信号を表示する表示器１６と、オーディオ信号を増幅する増幅器１５と、増幅されたオーディオ信号を音として放出するスピーカ１７と、前記システム全体を制御するＣＰＵ１８と、制御プログラムおよび各種データを保存するフラッシュメモリ２０と、ＣＰＵが処理のために一時メモリとして使用するＲＡＭ２１とユーザが本放送受信機を操作するための操作部１９から構成される。
【００３８】
フラッシュメモリ２０には、本放送受信機を制御するためのプログラムが格納されている他、受信地域に関連づけられた既定のサービスリストのデータテーブルが格納されており、さらに、受信動作時に使用するサービスリストを登録しておくためのプリセットリストの領域が確保されている。
【００３９】
次に本発明の放送受信機において、プリセットリストに登録されているサービスリストを用いてサービスを受信するまでの動作を説明する。まず最初に、フラッシュメモリ２０上のプリセットリストの領域に登録されているサービスリストをＲＡＭ２１に読み出し、その中の任意のサービスを選択し、そのサービスの情報に基づいてチューナを制御して選局し、受信動作を開始する。ユーザがサービスを切り換えたい場合は、サービスリスト上の次または前のサービスを指定するいわゆるアップダウン選局を行うか、サービスリストの一覧を表示器上に表示し、ユーザ操作によって選択、決定されたサービスの情報に基づいて再選局し、新たなサービスの受信動作を開始する。
【００４０】
次にプリセットリストへのサービスリストの登録動作手順について図２を用いて説明する。まずステップＳ１でチャンネルスキャンを実行し、現在の受信場所で受信出来るサービスを検出してサービスリストを作成する。次にステップＳ２で地域に関連づけられたサービスリストをフラッシュメモリ２０上のデータテーブルより読み出し、ステップＳ１で作成したサービスリストと順次比較し、このステップＳ１で作成したサービスリストと相関のあるサービスリストを選択する。次にステップＳ３で、ステップＳ１で作成したサービスリストとステップＳ２で選択したサービスリストを統合し、新たな一つのサービスリストを作成する。次にステップＳ４にて、ステップＳ３で作成したサービスリストをプリセットリストの領域に登録する。
【００４１】
次に、図２のステップＳ２における受信地域サービスリスト選択処理について図３から図４の例を用いて詳細に説明する。
【００４２】
図３は、フラッシュメモリ２０に格納されている、受信地域に関連づけられた規定のサービスリストの例を示している。この例では（１）Ｗ県、（２）Ｘ県、（３）Ｙ県、（４）Ｚ県の３つのサービスリストを持っていることとする。
【００４３】
図４は、ステップＳ１で作成したサービスリストの例、および受信地域に関連づけられた規定のサービスリストとの間で物理チャンネルおよびサービスＩＤを比較した結果を示している。（Ａ）はステップＳ１で作成したサービスリストの例であり、（１）（２）（３）（４）は、それぞれＷ県、Ｘ県、Ｙ県、Ｚ県のサービスリストと比較して（Ａ）と一致したサービスを示す比較結果である。（１）は５サービスが一致、（２）は４サービスが一致、（３）は３サービスが一致、（４）は一致するサービスがない、という結果を示している。
【００４４】
このステップＳ２の受信地域サービスリスト選択処理では、図４で示す比較結果において、一致したサービスの数が最も多いサービスリストを選択する。従って、ステップＳ２においては（２）Ｗ県の受信地域サービスリストが選択される。
【００４５】
なお、このステップＳ２の受信地域サービスリスト選択処理において、一致したサービスのうち県域局が最も多い受信地域サービスリストを選択しても良い。図４においては、（２）Ｗ県が県域局２サービス一致して最も多く、従ってこの場合には（２）Ｗ県の受信地域サービスリストが選択されることになる。
【００４６】
また、このステップＳ２の受信地域サービスリスト選択処理において、一致するサービスを含む受信地域サービスリストを全て選択しても良い。図４においては、（２）Ｗ県、（３）Ｘ県、（４）Ｙ県の３つの受信地域サービスリストで一致するサービスが含まれるため、この場合には前記３つの受信地域サービスリストが選択されることになる。
【００４７】
また、このステップＳ２の受信地域サービスリスト選択処理において、一致したサービスのうち県域局を含む受信地域サービスリストを全て選択しても良い。図４においては、（２）Ｗ県、（３）Ｘ県の２つの受信地域サービスリストで一致する県域局が含まれるため、この場合には前記２つの受信地域サービスリストが選択されることになる。
【００４８】
また、このステップＳ２の受信地域サービスリスト選択処理において、一致するサービスを含む受信地域サービスリストを利用者に提示し、利用者に選択させても良い。図４においては、（２）Ｗ県、（３）Ｘ県、（４）Ｙ県の３つの受信地域サービスリストで一致するサービスが含まれるため、前記３つの受信地域サービスリストを利用者に提示し、この中から利用者が任意の受信地域サービスリストを選択することになる。
【００４９】
次に、図２のステップＳ３におけるサービスリストの統合処理について図５から図６の例を用いて詳細に説明する。
【００５０】
図５において、（Ａ）はステップＳ１で作成したサービスリスト、（Ｂ）はステップＳ２で選択した受信地域サービスリスト、（Ｃ）はステップＳ３の統合処理後のサービスリストを示している。（Ａ）と（Ｂ）を比較すると、Ａ局、Ｂ局、Ｄ局、Ｅ局、Ｇ局は同じサービスで物理チャンネルも同一である。これらのように、（Ａ）（Ｂ）両方に同一サービス、同一物理チャンネルとして存在するサービスは、（Ｃ）において一つのサービスに統合する。
【００５１】
同様に（Ａ）と（Ｂ）を比較すると、Ｃ局、Ｆ局は（Ａ）にはなく（Ｂ）には存在する。このように（Ｂ）にだけ存在するサービスはそのまま（Ｃ）に統合する。
【００５２】
さらに同様に（Ａ）と（Ｂ）を比較すると、Ｉ局は（Ａ）には存在し（Ｂ）にはない。このように（Ａ）にだけ存在するサービスはそのまま（Ｃ）に統合する。
【００５３】
図６は同じくサービスリスト統合処理の別の例を示す図である。
【００５４】
図６において、（Ａ）と（Ｂ）を比較すると、Ｄ局は（Ａ）（Ｂ）両方に存在するが、物理チャンネルが異なっている。これは、チャンネルスキャンした際に（Ｂ）の物理チャンネルでは受信が出来ず、それとは異なる物理チャンネルで受信出来たことを意味している。このように（Ａ）（Ｂ）の両方に同一サービスが存在するが物理チャンネルが異なる場合は、統合処理において、受信可能であった（Ａ）側の物理チャンネルを優先的に登録する。これは実際に受信出来ている物理チャンネルの方が、その後も受信出来る可能性がより高いと考えられ、可能性が高い方をリストの上位に登録する方がより利便性が高いためである。
【００５５】
同様に（Ａ）と（Ｂ）を比較すると、Ｅ局は（Ａ）には２つ、（Ｂ）には１つ存在し、（Ａ）のうち１つが（Ｂ）と同じ物理チャンネルである。このように（Ａ）に複数存在し、そのうち１つが（Ｂ）と同じ物理チャンネルである場合には、同じ物理チャンネルの方を優先的に登録する。これはステップＳ２の受信地域サービスリスト選択処理で選択されたサービスリストと実際の受信結果が一致している物理チャンネルの方がより受信しやすい可能性が高いと考えられるためである。
【００５６】
さらに同様に（Ａ）と（Ｂ）を比較すると、Ｉ局は（Ａ）にだけ存在するが、物理チャンネル違いで複数存在する。このように（Ｂ）にはなく（Ａ）だけに複数存在する場合は、物理チャンネルの小さい方を優先的に登録する。これは主たる中継局と補助的に使用される中継局とでは、補助的に使用される中継局の方がより大きな物理チャンネルに配置される傾向にあることを考慮し、主たる中継局の方が受信しやすい可能性が高いと考えられるためである。
【００５７】
なお、前記の「優先的に登録する」とは、（Ｃ）のリスト上でリストの上位に配置する、あるいは、優先しない方の物理チャンネルのサービスを（Ｃ）のリストに登録しない、といった優先順位付けによる処理を行うことを意味する。
【００５８】
また、前記にあるようにサービスが同一かどうか否かを識別しているが、ワンセグ放送の場合は、この識別には放送ストリームに含まれるネットワークＩＤもしくはサービスＩＤを用いればよい。
【産業上の利用可能性】
【００５９】
本発明の放送受信機は、ワンセグ放送を受信する携帯型の放送受信機に特に有用であるが、ワンセグ放送だけでなく地上デジタル放送全般を受信する携帯型の放送受信機にも適用できる。また、地上デジタル放送だけでなく、アナログのテレビ放送、ラジオ放送にも適用することが可能である。
【符号の説明】
【００６０】
１０    アンテナ
１１    チューナ
１２    デマルチプレクサ
１３    ビデオデコーダ
１４    オーディオデコーダ
１５    増幅器
１６    表示器
１７    スピーカ
１８    ＣＰＵ
１９    操作部
２０    フラッシュメモリ
２１    ＲＡＭ
【図１】
2010273082.tif 000003
【図２】
2010273082.tif 000004
【図３】
2010273082.tif 000005
【図４】
2010273082.tif 000006
【図５】
2010273082.tif 000007
【図６】
2010273082.tif 000008
【図７】
2010273082.tif 000009
【図８】
2010273082.tif 000010